(57)【要約】      （修正有）【課題】干し物を迅速に乾燥させることを可能にした速乾ハンガーを提供する。【解決手段】本体１２の下部に取り付けられ、干そうとする物品を展開した状態で支持するための展開支持手段とを備え、展開支持手段が、基部１８と、一対の支持部材２０、２１と、各支持部材を基部を中心として回動可能に取り付けるためのシャフト２２とを有し、支持部材が各々、対向した一対の垂直部材２０ａ〜２１ｂおよび各垂直部材の下端を連結する水平部材２０ｃ、２１ｃをそれぞれ有し、一方の支持部材の垂直部材の上端にシャフトを通す貫通穴および所定角度隔てて円形に配置された複数の凸部が設けられ、他方の支持部材の垂直部材の上端にシャフトを通す貫通穴および凸部に嵌合する凹部が設けられているハンガーが提供される。【選択図】図１
0003140122.tif 000002
【実用新案登録請求の範囲】
【請求項１】
本体と、前記本体の下部に取り付けられ、干そうとする物品を展開した状態で支持するための展開支持手段とを備え、
前記展開支持手段が、基部と、一対の支持部材と、各支持部材を基部を中心として回動可能に取り付けるためのシャフトとを有し、前記支持部材が各々、対向した一対の垂直部材および各垂直部材の下端を連結する水平部材をそれぞれ有し、一方の支持部材の垂直部材の上端に前記シャフトを通す貫通穴および所定角度隔てて円形に配置された複数の凸部が設けられ、他方の支持部材の垂直部材の上端に前記シャフトを通す貫通穴および前記凸部に嵌合する凹部が設けられており、
前記他方の支持部材の垂直部材が前記一方の支持部材の垂直部材の方へバネで押しつけられることにより、前記一方の支持部材の垂直部材の凸部が前記他方の支持部材の垂直部材の凹部に嵌合して前記支持部材の回動が阻止されており、前記展開支持手段を展開させようとするときには、前記バネの力に抗して前記他方の支持部材の垂直部材を前記一方の支持部材の垂直部材から遠去かる方へ押すことにより、前記嵌合が外れ、前記支持部材の下端を互いに遠去かる方へ回動させて展開させるように構成されていることを特徴とする速乾ハンガー。
【考案の詳細な説明】
【技術分野】
【０００１】
本考案は、干し物の乾きの度合いを促進することを可能にした速乾ハンガーに関する。
【背景技術】
【０００２】
洗濯した物品は、物干し竿やハンガーに掛けられて室内や屋外に配置され、乾燥に供される。
【考案の開示】
【考案が解決しようとする課題】
【０００３】
しかしながら、従来のハンガーの多くは、干し物が互いに密着しがちであるため、乾燥に時間を要するという課題があった。
【０００４】
本考案は、このような状況に鑑みて案出されたものであって、干し物を迅速に乾燥させることを可能にした速乾ハンガーを提供することを目的としている。
【課題を解決するための手段】
【０００５】
本願請求項１に記載の速乾ハンガーは、本体と、前記本体の下部に取り付けられ、干そうとする物品を展開した状態で支持するための展開支持手段とを備え、前記展開支持手段が、基部と、一対の支持部材と、各支持部材を基部を中心として回動可能に取り付けるためのシャフトとを有し、前記支持部材が各々、対向した一対の垂直部材および各垂直部材の下端を連結する水平部材をそれぞれ有し、一方の支持部材の垂直部材の上端に前記シャフトを通す貫通穴および所定角度隔てて円形に配置された複数の凸部が設けられ、他方の支持部材の垂直部材の上端に前記シャフトを通す貫通穴および前記凸部に嵌合する凹部が設けられており、前記他方の支持部材の垂直部材が前記一方の支持部材の垂直部材の方へバネで押しつけられることにより、前記一方の支持部材の垂直部材の凸部が前記他方の支持部材の垂直部材の凹部に嵌合して前記支持部材の回動が阻止されており、前記展開支持手段を展開させようとするときには、前記バネの力に抗して前記他方の支持部材の垂直部材を前記一方の支持部材の垂直部材から遠去かる方へ押すことにより、前記嵌合が外れ、前記支持部材の下端を互いに遠去かる方へ回動させて展開させるように構成されていることを特徴とするものである。
【考案の効果】
【０００６】
本考案によれば、干し物を展開した状態で支持することができるため、干し物を迅速に乾燥させることが可能である。また、本考案によれば、ズボン等のようなハンガーに掛けにくい物でも、干し物の展開の角度を変えることによって、ハンガーから落ちることなく干し物をしっかり支えることができる。特に、本考案のハンガーは、乾きにくいズボンやジーンズ等の厚手の干し物を乾燥させるのに最適である。本考案のハンガーは、展開させずに通常のハンガーのような使用の仕方も、もちろん可能である。
【考案を実施するための最良の形態】
【０００７】
次に添付図面を参照して、本考案の好ましい実施の形態に係る速乾ハンガーについて詳細に説明する。図１は、本考案の好ましい実施の形態に係る速乾ハンガーを示した斜視図である。図１において全体として参照符号１０で示される本考案の速乾ハンガーは、本体１２と、本体１２の中央上部に取り付けられたフック１４とを備えている。本体１２は、通常のハンガーのように、下方に向かって凹となるように湾曲している。本体１２は、合成樹脂材料や木質材料などの適当な材料で形成されている。また、フック１４も、金属材料などの適当な材料で形成されている。
【０００８】
速乾ハンガー１０は又、本体の下部に取り付けられ、洗濯物等の干そうとする物品（以下「干し物」という）を展開した状態で支持するための展開支持手段１６を備えている。図４は、展開支持手段１６を示した分解図である。展開支持手段１６は、基部１８と、一対の支持部材２０、２１と、各支持部材２０、２１を基部１８を中心として回転可能に取り付けるためのシャフト２２とを有している。なお、図４においては、説明を明瞭にするため、基部１８のみが断面で示されている。
【０００９】
基部１８は、図４に示されるように、頂部分１８ａと、頂部分１８ａの両端に下方に延びるように配置された端部分１８ｂ、１８ｃとを有し、全体として側面視でコ字形の形状に形作られている。端部分１８ｂには、シャフト２２を通す貫通穴１８ｂ１が設けられ、端部分１８ｃには、シャフト２２を挿入する盲穴１８ｃ１が設けられている。なお、盲穴１８ｃ１の入口側（すなわち、端部分１８ｂの位置する側）には、後述するように、バネ２４を収容するための大径部１８ｃ２が設けられている。
【００１０】
支持部材２０は、図３に示されるように、対向した一対の垂直部材２０ａ、２０ｂと、各垂直部材２０ａ、２０ｂの下端を連結する水平部材２０ｃとをそれぞれ有している。支持部材２１も又、対向した一対の垂直部材２１ａ、２１ｂと、各垂直部材２１ａ、２１ｂの下端を連結する水平部材２１ｃとをそれぞれ有している。支持部材２０の垂直部材２０ａの上端には、シャフト２２を通す貫通穴２０ａ１が形成され、貫通穴２０ａ１の周囲には、円形をなすように所定角度β（図５（ａ）では４５°）隔てて配置された複数（図５（ａ）では８個）の凸部２０ａ２が設けられている。一方、支持部材２１の垂直部材２１ａの上端にも、シャフト２２を通す貫通穴２１ａ１が形成され、貫通穴２１ａ１の周囲には、凸部２０ａ２に対応する箇所に複数の凹部２１ａ２が設けられている（図５（ｂ）参照）。
【００１１】
なお、詳細には後述するように、支持部材２０、２１の円滑な回動が可能とするように、垂直部材２１ａの貫通穴２１ａ１の周囲に、円形の溝２１ａ′３を設け、溝２１ａ′３の底に凹部２１ａ′２を設けるようにしてもよい（図５（ｃ）参照）。このように構成することにより、支持部材２０、２１の回動時に一方の支持部材２０の凸部２０ａ２が他方の支持部材２１の溝２１ａ′３に沿って移動して凹部２１ａ′２に嵌まり込むため、がたつきを防止することができる。
【００１２】
展開支持手段１６は、基部１８の端部分１８ｃの大径部１８ｃ２内にバネ２４を配置するとともに、基部１８の端部分１８ｂ、１８ｃ間の空隙に支持部材２０の垂直部材２０ａおよび支持部材２１の垂直部材２１ａの上端を配置した状態で、端部分１８ｂの貫通穴１８ｂ１、垂直部材２０ａの貫通穴２０ａ１、垂直部材２１ａの貫通穴２１ａ１、バネ２４、および端部分１８ｃの盲穴１８ｃ１にシャフト２２を通すことによって、組み立てられる。
【００１３】
なお、図６（ａ）に最も良く示されるように、基部１８の端部分１８ｂ、１８ｃ間の空隙の幅ｗは、支持部材２０、２１の垂直部材２０ａ、２１ａの上端の幅ｗ0 よりも僅かに大きくなるように、寸法決めされている。また、バネ２４の納まりを良好にするために、端部分１８ｃの大径部１８ｃ２に面する垂直部材２１ａの貫通穴２１ａ１の周囲に、大径部２１ａ３を設けるのが好ましい（図４参照）。
【００１４】
展開支持手段１６は、一対の支持部材２０、２１をシャフト２２を中心として下端が互いに遠去かる方へ回動させることにより、互いに角度αをなすように展開させることができる（図７参照）。すなわち、通常は、バネ２４の力により、垂直部材２１ａが垂直部材２０ａの方へ押しつけられ、垂直部材２０ａの凸部２０ａ２が垂直部材２１ａの凹部２１ａ２に嵌まり込んでいるため、支持部材２０、２１を展開させることができないようになっているが、垂直部材２１ａをバネ２４の力に抗して垂直部材２０ａから遠去かる方へ押すと（図６（ｂ）の矢印参照）、垂直部材２０ａの凸部２０ａ２と垂直部材２１ａの凹部２１ａ２との嵌合が外れるので、支持部材２０、２１の下端を互いに遠去かる方へ回動させて展開させることができる。所望の角度αになるように支持部材２０、２１をシャフト２２を中心として回動させた後、バネ２４に抗する力を解消すると、垂直部材２０ａの凸部２０ａ２と垂直部材２１ａの凹部２１ａ２とが再び嵌合するので、ずれることなしに所望の角度αを維持することができる。
【００１５】
支持部材２０の垂直部材２０ｂおよび支持部材２１の垂直部材２１ｂについても、上述と同様の構成を有している。
【００１６】
好ましくは、速乾ハンガー１０は、本体１２の両端にほぼ垂直方向に延びるように配置された複数の風通し用孔２６を備えている。
【００１７】
以上のように構成された速乾ハンガー１０の使用について説明する。まず、速乾ハンガー１０のフック１４を物干し竿等の所定箇所に引っ掛けた後、展開支持手段１６を展開させ、支持部材２０、２１の水平部材２０ｃ、２１ｃに干し物を掛けて干す（図７参照）。或いは、展開支持手段１６を展開させ、支持部材２０、２１の水平部材２０ｃ、２１ｃに干し物を掛けた後に、フック１４を物干し竿等に引っ掛けてもよい。
【００１８】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１９】
たとえば、図面に示した本体１２やフック１４等の形状、垂直部材の上端に設けられる凸部や凹部の数等は、単なる例示的にものにすぎず、上述した以外のものにしてもよい。
【図面の簡単な説明】
【００２０】
【図１】本考案の好ましい実施の形態に係る速乾ハンガーを示した斜視図である。
【図２】図１の速乾ハンガーを示した平面図である。
【図３】図１の速乾ハンガーを示した正面図である。
【図４】図１の速乾ハンガーの展開支持手段を示した分解図である。
【図５】図５（ａ）は図４の線５ａ−５ａに沿って見た図、図５（ｂ）は図４の線５ｂ−５ｂに沿って見た図、図５（ｃ）は垂直部材に設けられる凹部の変形形態を示した図である。
【図６】展開支持手段の使用状態を説明するための図である。
【図７】展開支持手段を展開させて干し物が水平部材に掛けられている状態を示した斜視図である。
【符号の説明】
【００２１】
１０  速乾ハンガー
１２  本体
１４  フック
１６  展開支持手段
１８  基部
１８ａ  頂部分
１８ｂ  端部分
１８ｃ  端部分
２０、２１  支持部材
２０ａ、２１ａ  垂直部材
２０ｂ、２１ｂ  垂直部材
２０ｃ、２１ｃ  水平部材
２２  シャフト
２４  バネ
２６  風通し用孔
【図１】
0003140122.tif 000003
【図２】
0003140122.tif 000004
【図３】
0003140122.tif 000005
【図４】
0003140122.tif 000006
【図５】
0003140122.tif 000007
【図６】
0003140122.tif 000008
【図７】
0003140122.tif 000009